(57)【要約】【課題】複数の電子マネーを一元的に管理でき、ユーザーの利便性を向上させることができる電子マネー管理プログラム及び電子マネー管理システム並びに電子マネー管理方法の提供。【解決手段】少なくとも、複数の電子マネーアプリケーションが動作可能な１又は複数の携帯端末と、電子マネーを管理するＷｅｂサーバと、が通信ネットワークで接続される電子マネー管理システムにおいて、前記携帯端末は、各々の前記電子マネーアプリケーションから、当該アプリケーションが管理している情報を取得し、取得した情報をデータベースとして登録すると共に、前記Ｗｅｂサーバと交信し、前記情報を前記Ｗｅｂサーバに送信する手段を備え、前記Ｗｅｂサーバは、各々の前記携帯端末から送信される前記情報を、前記携帯端末のユーザーに関連付けて登録する手段を備える。【選択図】図４
2010282559.tif 000002
【特許請求の範囲】
【請求項１】
複数の電子マネーアプリケーションが動作可能な携帯端末で動作する電子マネー管理プログラムであって、
前記携帯端末を、
各々の前記電子マネーアプリケーションから、当該アプリケーションが管理している情報を取得し、取得した情報をデータベースとして登録する手段、として機能させる、
ことを特徴とする電子マネー管理プログラム。
【請求項２】
前記手段は、
ユーザーからの入金指示に基づいて、各々の前記電子マネーアプリケーションに対して、入金を指示する、
ことを特徴とする請求項１に記載の電子マネー管理プログラム。
【請求項３】
少なくとも、複数の電子マネーアプリケーションが動作可能な１又は複数の携帯端末と、電子マネーを管理するＷｅｂサーバと、が通信ネットワークで接続される電子マネー管理システムにおいて、
前記携帯端末は、
各々の前記電子マネーアプリケーションから、当該アプリケーションが管理している情報を取得し、取得した情報をデータベースとして登録すると共に、前記Ｗｅｂサーバと交信し、前記情報を前記Ｗｅｂサーバに送信する手段を備え、
前記Ｗｅｂサーバは、
各々の前記携帯端末から送信される前記情報を、前記携帯端末のユーザーに関連付けて登録する手段を備える、
ことを特徴とする電子マネー管理システム。
【請求項４】
前記携帯端末は、
前記携帯端末に登録されている情報と前記Ｗｅｂサーバに登録されている情報とを同期させる、
ことを特徴とする請求項３に記載の電子マネー管理システム。
【請求項５】
前記携帯端末は、
前記Ｗｅｂサーバで入金処理が行われた場合は、前記データベースを更新する、
ことを特徴とする請求項３又は４に記載の電子マネー管理システム。
【請求項６】
少なくとも、複数の電子マネーアプリケーションが動作可能な１又は複数の携帯端末と、電子マネーを管理するＷｅｂサーバと、が通信ネットワークで接続されるシステムにおける電子マネー管理方法であって、
前記携帯端末は、
各々の前記電子マネーアプリケーションから、当該アプリケーションが管理している情報を取得し、取得した情報をデータベースとして登録する第１ステップと、
前記Ｗｅｂサーバと交信し、前記情報を前記Ｗｅｂサーバに送信する第２ステップと、を実行し、
前記Ｗｅｂサーバは、
各々の前記携帯端末から送信される前記情報を、前記携帯端末のユーザーに関連付けて登録するステップを実行する、
ことを特徴とする電子マネー管理方法。
【請求項７】
前記携帯端末は、
前記携帯端末に登録されている情報と前記Ｗｅｂサーバに登録されている情報とを同期させるステップを実行する、
ことを特徴とする請求項６に記載の電子マネー管理方法。
【請求項８】
前記携帯端末は、
前記Ｗｅｂサーバで入金処理が行われた場合は、前記データベースを更新するステップを実行する、
ことを特徴とする請求項６又は７に記載の電子マネー管理方法。
【発明の詳細な説明】
【技術分野】
【０００１】
本発明は、電子マネー管理プログラム及び電子マネー管理システム並びに電子マネー管理方法に関し、特に、複数の電子マネーを統合して管理する電子マネー管理プログラム及び電子マネー管理システム並びに電子マネー管理方法に関する。
【背景技術】
【０００２】
近年、電子マネーを用いた決済が可能な携帯電話機などの携帯端末が普及している。この携帯端末には、電磁誘導又は電磁結合を利用してリーダやリーダ／ライタなどの外部端末と非接触でデータ通信を行う機能が搭載されており、店舗や改札などに設けられた外部端末に対してＩＣに記憶されたユーザー情報などを送信することにより、商品の代金や電車の運賃などの支払いや各種手続きなどを行うことができる。
【０００３】
このような電子マネーを用いた決済に関して、例えば、下記特許文献１には、店舗側設置のレジスターより、商品の購買に関連する購買者の購買情報を購買者毎に割り当てられたネットワークディレクトリに転送して記録するように構成するとともに、上記ネットワークディレクトリの購買情報を端末手段に呼び出して表示するように構成した購買情報管理システムが開示されている。
【０００４】
また、下記特許文献２には、Applicationを実行する制御演算手段と、Applicationに依存しないＩＣカード管理装置との通信情報とApplicationに対応したApplicationサーバとの通信情報を格納した通信情報記憶手段と、制御演算手段の要求に応じて通情報記憶手段から通信情報を選択する選択手段と、通信内容を記憶する通信内容記憶手段と、選択手段および通信内容手段からの情報を取得しＩＣカード管理装置あるいはApplicationサーバと通信を行う通信実行手段と、を具備するＩＣカードが開示されている。
【０００５】
また、下記特許文献３には、ＩＣチップを有しユーザーが任意に選択したＩＣカードや携帯電話機と、ＩＣチップの製造時に付与されるＩＣカード製造番号を取得するカードリーダと、ＩＣカードに対してポイントを発行するポイント発行手段としての店舗端末装置と、ＩＣカード製造番号とユーザーを特定するユーザー識別子とを関連づけて蓄積する管理データベースと、管理データベースにおいて、ＩＣカード製造番号により特定されたユーザーに対し、店舗端末装置により発行されたポイントを追加するポイント管理サーバ群とを用いるポイント管理システムが開示されている。
【先行技術文献】
【特許文献】
【０００６】
【特許文献１】特開２０００−４０１００号公報
【特許文献２】特開２００２−１７５５０９号公報
【特許文献３】特開２００７−１５６７４０号公報
【発明の概要】
【発明が解決しようとする課題】
【０００７】
ここで、携帯端末における電子マネーの管理は、電子マネーの決済を運営、管理する会社から提供されるアプリケーションを用いて行うが、従来のシステムは、各電子マネーの情報をそれぞれのアプリケーションで独立に管理しており、履歴及び入金の管理をそれぞれ行う必要がある。また、複数の携帯端末を利用している場合、それぞれの携帯端末の利用履歴や残高、入金などを一括で管理することができない。
【０００８】
このように、従来のシステムでは、複数の電子マネーを一元的に管理することができず、ユーザーの利便性が悪いという問題があった。
【０００９】
本発明は、上記問題点に鑑みてなされたものであって、その主たる目的は、複数の電子マネーを一元的に管理でき、ユーザーの利便性を向上させることができる電子マネー管理プログラム及び電子マネー管理システム並びに電子マネー管理方法を提供することにある。
【課題を解決するための手段】
【００１０】
上記目的を達成するため、本発明は、複数の電子マネーアプリケーションが動作可能な携帯端末で動作する電子マネー管理プログラムであって、前記携帯端末を、各々の前記電子マネーアプリケーションから、当該アプリケーションが管理している情報を取得し、取得した情報をデータベースとして登録する手段、として機能させるものである。
【発明の効果】
【００１１】
本発明の電子マネー管理プログラム及び電子マネー管理システム並びに電子マネー管理方法によれば、下記記載の効果を奏する。
【００１２】
本発明の第１の効果は、複数の電子マネーを一元的に管理できるということである。その理由は、統合アプリケーションが各電子マネーへのインタフェースとなり、ユーザーの指示に従い自動的に情報を更新するからである。
【００１３】
また、本発明の第２の効果は、各電子マネーのシステムに依存せずに、Ｗｅｂ上で携帯端末への入金指示、履歴、残高の取得ができるということである。その理由は、携帯端末が各電子マネーの履歴、残高取得時及び入金指示時にＷｅｂサーバへ接続し、データベースの同期を行うからである。
【００１４】
また、本発明の第３の効果は、Ｗｅｂ上で複数の携帯端末の管理ができるということである。その理由は、各携帯端末のアプリケーションのデータベースがＷｅｂサーバのデータベースと同期するからである。
【図面の簡単な説明】
【００１５】
【図１】本発明の一実施例に係る電子マネー管理システムの構成を模式的に示す図である。
【図２】本発明の一実施例に係る携帯端末の構成を示すブロック図である。
【図３】本発明の一実施例に係るＷｅｂサーバの構成を示すブロック図である。
【図４】本発明の一実施例に係る電子マネーの利用履歴、残高取得手順を示すフローチャート図である。
【図５】本発明の一実施例に係るアプリケーションに対する電子マネーの入金指示手順を示すフローチャート図である。
【図６】本発明の一実施例に係る電子マネーアプリケーションへの入金指示手順を示すフローチャート図である。
【図７】本発明の一実施例に係るＷｅｂからの入金手順を示すフローチャート図である。
【発明を実施するための形態】
【００１６】
背景技術で示したように、複数の電子マネーは独立したアプリケーションにより管理されており、履歴及び入金の管理をそれぞれ行う必要があった。また、複数の携帯端末を利用している場合、それぞれの携帯端末の利用履歴や残高、入金などを一括で管理することができないという問題があった。
【００１７】
そこで、本発明の一実施の形態では、複数の電子マネーアプリケーションを統合するアプリケーションを用いて、各電子マネーへの入金及び利用履歴の管理を行うことにより、複数の電子マネーを一元的に管理できるようにする。また、サーバとデータを同期させることにより、複数の携帯端末上の電子マネーを一括で管理できるようにする。
【００１８】
具体的には、携帯端末による複数の電子マネーの利用履歴、残高の管理及び入金を一元管理することを目的としたアプリケーションを携帯端末にインストールし、当該アプリケーションは、複数の電子マネーアプリケーションから情報を取得する際に、同時に携帯電話網を利用してオンライン上のサーバとデータの同期を行い、利用履歴、残高の管理及び入金を可能とする。
【００１９】
また、当該携帯端末を含むシステムでは、家族の端末など複数の端末を一つのＩＤで管理できるようにし、Ｗｅｂ上からの入金は端末上で仮想マネーとして保持し、携帯端末のアプリケーションを用いてユーザーの指示に基づき入金可能にする。
【００２０】
このように、広く普及している複数の電子マネーシステムを統合するアプリケーションを用いるため、今後新たな電子マネーが導入された場合であっても、統合アプリケーションによる対応のみでユーザーは電子マネーを一元的に管理することが可能となる。
【実施例】
【００２１】
上記した本発明の実施の形態についてさらに詳細に説明すべく、本発明の一実施例に係る電子マネー管理プログラム及び電子マネー管理システム並びに電子マネー管理方法について、図１乃至図７を参照して説明する。図１は、本実施例の電子マネー管理システムの構成を模式的に示す図であり、図２は、本実施例の携帯端末の構成を示すブロック図、図３は、Ｗｅｂサーバの構成を示すブロック図である。また、図４乃至図７は、本実施例の電子マネーの管理手順を示すフローチャート図である。
【００２２】
図１に示すように、本実施例の電子マネー管理システムは、プログラム制御により動作する１又は複数の携帯端末１００と、プログラム制御による動作するＷｅｂサーバ２００と、コンピュータ端末３００とで構成される。
【００２３】
また、図２に示すように、携帯端末１００は、通信手段１１０と、複数の電子マネーを統合するアプリケーション１２０と、データベース１３０と、図示しない表示部や操作部、スピーカ、マイクなどから構成されている。
【００２４】
通信手段１１０は、アンテナを介して無線基地局との間で無線により情報の送受を行う機能と、アンテナを介して外部のリーダやリーダ／ライタとの間で電磁誘導又は電磁結合により情報の送受を行う機能とを有する。
【００２５】
アプリケーション１２０は、ＣＰＵ（Central Processing Unit）と、ＲＯＭ（Read Only Memory）やＲＡＭ（Random Access Memory）などのメモリとで構成される制御部で動作するプログラムであり、各電子マネーアプリケーション１２１〜１２ｎに対して、利用履歴や残高などの取得を要求し、取得した情報をデータベース１３０に登録すると共に、Ｗｅｂサーバ２００のデータベース２３０とデータの同期を行い、データベース１３０を更新する機能を有する。
【００２６】
データベース１３０は、上記メモリやＨＤＤ（Hard Disk Drive）などの記憶手段に記憶される情報であり、各電子マネーの利用履歴、残高などの情報を蓄積する。
【００２７】
また、図３に示すように、Ｗｅｂサーバ２００は、通信手段２１０と、アプリケーション２２０と、データベース２３０と、図示しない表示部や操作部などから構成されている。
【００２８】
通信手段２１０は、ＬＡＮ（Local Area Network）やＷＡＮ（Wide Area Network）等の通信ネットワークを介して、無線基地局やコンピュータ端末３００との間で情報の送受を行う機能を有する。
【００２９】
アプリケーション２２０は、ＣＰＵとＲＯＭやＲＡＭなどのメモリとで構成される制御部で動作するプログラムであり、ＩＤ、パスワードなどのユーザー認証により登録された携帯端末１００の情報を表示し、携帯端末１００への入金指示を行う。
【００３０】
データベース２３０は、上記メモリやＨＤＤなどの記憶手段に記憶される情報であり、各携帯端末１００が取得した各電子マネーの利用履歴、残高などの情報を、携帯端末１００のユーザーに関連付けて蓄積する。
【００３１】
また、コンピュータ端末３００は、携帯端末１００のユーザーの端末であり、Ｗｅｂサーバ２００に対して入金指示を行ったり、データベース２３０に登録された各電子マネーの利用履歴、残高などの情報を参照したりする。
【００３２】
次に、図４乃至図７のフローチャート図を参照して、本実施例の電子マネー管理システムの動作について詳細に説明する。
【００３３】
［電子マネーの利用履歴、残高取得手順：図４参照］
まず、ユーザーが、アプリケーション１２０に対して、利用履歴、残高取得を要求すると（ステップＡ１）、アプリケーション１２０は、電子マネーアプリケーション１２１に対して利用履歴、残高参照を要求する（ステップＡ２）。そして、アプリケーション１２０は、電子マネーアプリケーション１２１からの情報を確認し（ステップＡ３）、電子マネーアプリケーション１２１からの応答内容をデータベース１３０へ記録する（ステップＡ４）。さらに、ｎ個の電子マネーアプリケーションがある場合、Ａ２からＡ４までの操作を繰り返す（ステップＡ５〜Ａ１０）。
【００３４】
次に、アプリケーション１２０は、通信手段１１０を用いてＷｅｂサーバ２００と通信を確立し（ステップＡ１１）、Ｗｅｂサーバ２００のデータベース２３０とアプリケーション１２０のデータベース１３０を同期させる（ステップＡ１２）。すなわち、各データベースに登録されている情報を比較し、アプリケーション１２０が各電子マネーアプリケーション１２１〜１２ｎから新規の情報を取得した場合は、その情報をＷｅｂサーバ２００に送信する。その際、複数の携帯端末１００からの情報を効率的に管理できるように、携帯端末１００のユーザー情報も送信する。
【００３５】
次に、Ｗｅｂからの入金（アプリケーション２２０による入金処理）の有無を確認し（ステップＡ１３）、Ｗｅｂからの入金がある場合は、アプリケーション１２０のデータベース１３０を更新し（ステップＡ１４）、Ｗｅｂからの入金がない場合は、Ｗｅｂサーバ２００とアプリケーション１２０の通信を終了する（ステップＡ１５）。最後に、アプリケーション１２０は、携帯端末１００の表示部にデータベース１３０の内容を表示する（ステップＡ１６）。
【００３６】
［アプリケーションに対する電子マネーの入金指示手順：図５参照］
まず、ユーザーが、アプリケーション１２０に対して、電子マネーの入金を指示すると（ステップＢ１）、アプリケーション１２０は、パスワードによるユーザー認証を行う（ステップＢ２）。ユーザー認証の結果がＯＫの場合、アプリケーション１２０による入金処理を行い（ステップＢ３）、入金された結果をデータベース１３０に記録する（ステップＢ４）。
【００３７】
次に、アプリケーション１２０は、通信手段１１０を用いてＷｅｂサーバ２００と通信を確立し（ステップＢ５）、Ｗｅｂサーバ２００のデータベース２３０とアプリケーション１２０のデータベース１３０を同期させる（ステップＢ６）。次に、Ｗｅｂからの入金の有無を確認し（ステップＢ７）、Ｗｅｂからの入金がある場合は、アプリケーション１２０のデータベース１３０を更新し（ステップＢ８）、Ｗｅｂからの入金がない場合は、Ｗｅｂサーバ２００とアプリケーション１２０の通信を終了する（ステップＢ９）。最後に、アプリケーション１２０は、携帯端末１００の表示部にデータベース１３０の内容を表示する（ステップＢ１０）。
【００３８】
［電子マネーのアプリケーションへの入金指示手順：図６参照］
まず、アプリケーション１２０に対して電子マネーアプリケーション１２１への入金を指示すると（ステップＣ１）、アプリケーション１２０は、パスワードによるユーザー認証を行い（ステップＣ２）、電子マネーアプリケーション１２１へ入金を指示する（ステップＣ３）。次に、アプリケーション１２０は、電子マネーアプリケーション１２１の処理後結果を取得し（ステップＣ４）、電子マネーアプリケーション１２１からの応答内容をデータベース１３０へ記録する（ステップＣ５）。
【００３９】
次に、アプリケーション１２０は、通信手段１１０を用いてＷｅｂサーバ２００と通信を確立し（ステップＣ６）、Ｗｅｂサーバ２００のデータベース２３０とアプリケーション１２０のデータベース１３０を同期させる（ステップＣ７）。次に、Ｗｅｂからの入金の有無を確認し（ステップＣ８）、Ｗｅｂからの入金がある場合は、アプリケーション１２０のデータベース１３０を更新し（ステップＣ９）、Ｗｅｂからの入金がない場合は、Ｗｅｂサーバ２００とアプリケーション１２０の通信を終了する（ステップＣ１０）。最後に、アプリケーション１２０は携帯端末１００の表示部にデータベース１３０の内容を表示する（ステップＣ１１）。
【００４０】
［Ｗｅｂからの電子マネーの入金手順：図７参照］
まず、Ｗｅｂサーバ２００上のアプリケーション２２０より携帯端末１００への入金を指示すると（ステップＤ１）、アプリケーション２２０はＩＤ、パスワードによるユーザー認証を行い（ステップＤ２）、アプリケーション２２０の入金処理結果をデータベース２３０に記録する（ステップＤ４）。次に、アプリケーション２２０は更新されたデータベース２３０の内容をＷｅｂ上に表示する（ステップＤ５）。最後に、Ｗｅｂサーバ２００は携帯端末１００からの通信要求があるまで待機する（ステップＤ６）。
【００４１】
このように、本実施例では、アプリケーション１２０は各電子マネーアプリケーションの情報を一括で収集するように構成されているため、アプリケーション１２０により一元的に残高、利用履歴の管理をすることができる。
【００４２】
また、本実施例では、さらに、ユーザーからの入金指示を、アプリケーション１２０を通して行うように構成されているため、複数の電子マネーアプリケーションに対して同一の操作で入金することができる。
【００４３】
また、本実施例では、Ｗｅｂからの入金に対して、一旦、アプリケーション１２０上に電子マネーを保持するため、用途に応じてユーザーがどの電子マネーに入金を行うか否かを決定することができる。
【００４４】
なお、本発明は上記実施例に限定されるものではなく、本発明の趣旨を逸脱しない限りにおいて、その構成や制御方法は適宜変更することができる。
【産業上の利用可能性】
【００４５】
本発明は、電子マネーを使った出納管理といった用途に適用できる。また、複数の携帯端末を一括で管理できることを利用して、親が子供の携帯端末の電子マネーを管理するといった用途にも適用可能である。
【符号の説明】
【００４６】
１００  携帯端末
１１０  通信手段
１２０  アプリケーション
１２１、１２２、１２ｎ  電子マネーアプリケーション
１３０  データベース
２００  Ｗｅｂサーバ
２１０  通信手段
２２０  アプリケーション
２３０  データベース
３００  コンピュータ端末
【図１】
2010282559.tif 000003
【図２】
2010282559.tif 000004
【図３】
2010282559.tif 000005
【図４】
2010282559.tif 000006
【図５】
2010282559.tif 000007
【図６】
2010282559.tif 000008
【図７】
2010282559.tif 000009